(57)【要約】【課題】利用者が興味を持つ情報をプリント処理中に提供し、プリント待ち時間を有意義に過ごせるようにする。【解決手段】本発明の実施形態に係る画像プリントシステムは、サーバ装置と、画像データを入力する入力部、前記画像データを縮小したサムネイル画像を含む注文画面を表示する表示部、前記注文画面を介して選択された画像を印刷するプリンタ、及び前記画像データを前記サーバ装置へ送信する通信部を有する画像プリント装置と、を備える。前記サーバ装置は、前記画像プリント装置から前記画像データを受信すると、前記画像データを解析し、前記画像データに関連する関連情報をオープンデータから抽出し、前記関連情報を前記画像プリント装置へ送信する。前記画像プリント装置は、前記サーバ装置から受信した前記関連情報を前記表示部に表示する。【選択図】図１
2019202430.tif 000002
【特許請求の範囲】
【請求項１】
サーバ装置と、
画像データを入力する入力部、前記画像データを縮小したサムネイル画像を含む注文画面を表示する表示部、前記注文画面を介して選択された画像を印刷するプリンタ、及び前記画像データを前記サーバ装置へ送信する通信部を有する画像プリント装置と、
を備え、
前記サーバ装置は、前記画像プリント装置から前記画像データを受信すると、前記画像データを解析し、前記画像データに関連する関連情報をオープンデータから抽出し、前記関連情報を前記画像プリント装置へ送信し、
前記画像プリント装置は、前記サーバ装置から受信した前記関連情報を前記表示部に表示することを特徴とする画像プリントシステム。
【請求項２】
前記画像プリント装置は、前記プリンタの印刷処理中に、前記関連情報を前記表示部に表示することを特徴とする請求項１に記載の画像プリントシステム。
【請求項３】
前記サーバ装置は、前記画像データから撮影場所情報を検出し、撮影場所に基づいて関連情報を抽出することを特徴とする請求項１又は２に記載の画像プリントシステム。
【請求項４】
前記サーバ装置は、前記画像プリント装置の設置場所に応じた種類の関連情報を抽出することを特徴とする請求項３に記載の画像プリントシステム。
【請求項５】
画像データを入力する入力部と、
前記画像データを縮小したサムネイル画像を含む注文画面を表示する表示部と、
前記注文画面を介して選択された画像を印刷するプリンタと、
前記画像データを解析する解析部と、
前記解析部による解析結果を用いて、前記画像データに関連する関連情報をオープンデータから抽出する抽出部と、
を備え、
前記表示部は、前記プリンタの印刷処理中に前記関連情報を表示することを特徴とする画像プリント装置。
【発明の詳細な説明】
【技術分野】
【０００１】
本発明は、利用者が所有する記憶媒体や携帯端末等に記憶されている画像データをプリント出力する画像プリントシステム及び画像プリント装置に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データを、内部に収容するプリンタからプリント出力する。
【０００３】
従来の画像プリント装置は、プリンタによるプリント処理中にミニゲームを提供し、利用者はミニゲームで遊びながらプリント処理の終了を待っていた。ゲームをしない利用者にとっては、プリント処理の待ち時間が退屈なことがあった。
【先行技術文献】
【特許文献】
【０００４】
【特許文献１】特開２０１２−１７３９１２号公報
【発明の概要】
【発明が解決しようとする課題】
【０００５】
本発明は、上記従来の実状に鑑みてなされたものであり、利用者が興味を持つ情報をプリント処理中に提供し、プリント待ち時間を有意義に過ごせるようにする画像プリントシステム及び画像プリント装置を提供することを課題とする。
【課題を解決するための手段】
【０００６】
本発明による画像プリントシステムは、サーバ装置と、画像データを入力する入力部、前記画像データを縮小したサムネイル画像を含む注文画面を表示する表示部、前記注文画面を介して選択された画像を印刷するプリンタ、及び前記画像データを前記サーバ装置へ送信する通信部を有する画像プリント装置と、を備え、前記サーバ装置は、前記画像プリント装置から前記画像データを受信すると、前記画像データを解析し、前記画像データに関連する関連情報をオープンデータから抽出し、前記関連情報を前記画像プリント装置へ送信し、前記画像プリント装置は、前記サーバ装置から受信した前記関連情報を前記表示部に表示するものである。
【０００７】
本発明の一態様による画像プリントシステムにおいて、前記画像プリント装置は、前記プリンタの印刷処理中に、前記関連情報を前記表示部に表示する。
【０００８】
本発明の一態様による画像プリントシステムにおいて、前記サーバ装置は、前記画像データから撮影場所情報を検出し、撮影場所に基づいて関連情報を抽出する。
【０００９】
本発明の一態様による画像プリントシステムにおいて、前記サーバ装置は、前記画像プリント装置の設置場所に応じた種類の関連情報を抽出する。
【００１０】
本発明による画像プリント装置は、画像データを入力する入力部と、前記画像データを縮小したサムネイル画像を含む注文画面を表示する表示部と、前記注文画面を介して選択された画像を印刷するプリンタと、前記画像データを解析する解析部と、前記解析部による解析結果を用いて、前記画像データに関連する関連情報をオープンデータから抽出する抽出部と、を備え、前記表示部は、前記プリンタの印刷処理中に前記関連情報を表示するものである。
【発明の効果】
【００１１】
本発明によれば、利用者が興味を持つ情報をプリント処理中に提供し、利用者は、プリント待ち時間を有意義に過ごすことができる。
【図面の簡単な説明】
【００１２】
【図１】本発明の実施形態に係る画像プリントシステムの概略構成図である。
【図２】（ａ）〜（ｃ）は利用者に提供する情報の例を示す図である。
【図３】画像プリント装置のブロック構成図である。
【図４】画像プリント装置の斜視図である。
【図５】サーバ装置の機能ブロック図である。
【発明を実施するための形態】
【００１３】
以下、本発明の実施の形態を図面に基づいて説明する。
【００１４】
図１は、本発明の実施形態に係る画像プリントシステムの概略構成図である。画像プリントシステムは、画像プリント装置１と、サーバ装置２とを備える。画像プリント装置１は、利用者から画像データの入力を受け付け、画像のプリント出力を行うものであり、サーバ装置２と通信可能に接続されている。
【００１５】
画像プリント装置１は、利用者から画像データが入力されると、入力された画像のサムネイル画像の一覧を表示する。利用者は、プリントする画像を選択する。また、利用者は、画像にスタンプを合成したり、文字を入力したりする画像編集加工を行うことができる。
【００１６】
利用者が、プリントサイズやプリント枚数に応じた料金を投入すると、画像プリント装置１はプリント処理を開始する。
【００１７】
利用者が画像を選択したり、編集したりしている間に、画像プリント装置１は、入力された画像データをサーバ装置２へ送信する。サーバ装置２は、画像データに含まれているＥｘｉｆ（登録商標）情報からＧＰＳ情報を抽出する。このＧＰＳ情報は、画像の撮影場所を示すものである。
【００１８】
サーバ装置２は、画像の撮影場所に基づいて、オープンデータ（ビッグデータ）から、関連情報を抽出する。オープンデータは、インターネット等のネットワーク上において、有償、無償を問わず、一般に公開され、利用が許諾されたデータである。サーバ装置２は、関連情報を画像プリント装置１へ送信する。
【００１９】
画像プリント装置１は、プリント処理中に関連情報を表示する。関連情報は、利用者が画像プリント装置１に入力した画像に関連するものであり、利用者が興味を持ちやすいものである。
【００２０】
例えば、利用者が長崎旅行へ行った際に撮影した画像を画像プリント装置１へ入力した場合を考える。サーバ装置２は、画像プリント装置１から受信した画像のＥｘｉｆ情報に含まれるＧＰＳ情報から、撮影場所が長崎であることを特定する。
【００２１】
例えば、サーバ装置２は、オープンデータから長崎のおすすめの観光情報を抽出し、画像プリント装置１へ送信する。画像プリント装置１は、図２（ａ）に示すようなおすすめ観光情報を表示する。長崎旅行へ行った利用者は、長崎の観光名所である平和祈念像の詳しい情報を読み、プリント待ち時間を有意義に過ごすことができる。
【００２２】
サーバ装置２は、画像プリント装置１の設置場所によって、抽出する情報の種類を変えてもよい。例えば、画像プリント装置１が本屋に設置されている場合、サーバ装置２は、オープンデータから、長崎に関連する書籍情報を抽出し、画像プリント装置１へ送信する。
【００２３】
画像プリント装置１は、図２（ｂ）に示すような長崎に関連する書籍情報を表示する。このような書籍情報を表示することで、プリント処理後に、書籍に興味を持った利用者が、この本屋で書籍を購入することが期待される。
【００２４】
画像プリント装置１がＣＤショップに設置されている場合、サーバ装置２は、オープンデータから、長崎出身のアーティストや、そのアーティストの代表曲などのアーティスト情報を抽出し、画像プリント装置１へ送信する。
【００２５】
画像プリント装置１は、図２（ｃ）に示すような長崎出身のアーティストに関連する情報を表示する。このような情報を表示することで、プリント処理後に、アーティストに興味を持った利用者が、このＣＤショップでＣＤを購入することが期待される。
【００２６】
このように、本実施形態によれば、利用者が興味を持つ情報をプリント処理中に提供し、プリント待ち時間を有意義に過ごすことができる。また、画像プリント装置１の設置場所に応じた情報を提供することで、商品の購買意欲を高めることができる。
【００２７】
次に、画像プリント装置１について説明する。図３は画像プリント装置１のブロック構成図であり、図４は画像プリント装置１の斜視図である。図３に示すように、画像プリント装置１は、第１タッチパネル１０Ａ、第２タッチパネル１０Ｂ、データ入力部１１、課金部１２、プリンタ１３、ＣＰＵ（中央処理部）１４、ディスク装置（記憶部）１５、メインメモリ１６、及び通信部１７を有する。
【００２８】
図４に示すように、第１タッチパネル１０Ａは筐体Ｈの天板１Ａ部分に設けられ、第２タッチパネル１０Ｂは筐体Ｈの上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。
【００２９】
第１タッチパネル１０Ａ及び第２タッチパネル１０Ｂは、画像を含む情報を表示したり、利用者から各種指示の入力を受け付けたりする。第１タッチパネル１０Ａは、画像プリント装置１への画像データの入力方法（例えば、記憶媒体の使用、携帯端末からの赤外線通信、又はスマートフォンからの無線通信）選択画面、注意事項の表示画面、プリント出力する画像データの選択やプリント枚数指定などを受け付ける注文画面、注文内容や請求金額の確認画面等の基本操作画面を表示する。
【００３０】
また、第１タッチパネル１０Ａ及び／又は第２タッチパネル１０Ｂは、サーバ装置２から受信した関連情報を表示する。
【００３１】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図４に示すように、データ入力部１１は筐体Ｈの上部、具体的には筐体Ｈの天板１Ａと第２タッチパネル１０Ｂとの間に設けられている。
【００３２】
図４に示すように、課金部１２は、筐体Ｈの前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００３３】
プリンタ１３は、昇華型又はインクジェット型などの高解像度カラープリンタであり、注文内容に基づいて、画像データをプリントして出力する。プリンタ１３は筐体Ｈ内に収容されている。プリンタ１３は複数台設置されていてもよい。図４に示すように、筐体Ｈの前面側には、透明な開閉扉Ｄが開閉自在に設けられている。開閉扉Ｄの裏面側には、プリンタ１３がプリント出力したプリント物が集積される集積部（図示せず）が設けられており、開閉扉Ｄを開けると集積部に集積されたプリント物を取り出せるようになっている。
【００３４】
ディスク装置１５（記憶部）は、画像処理プログラム、制御プログラム、及び画像データに対して合成可能な編集アイテムを格納する。ディスク装置１５は例えばハードディスクドライブである。
【００３５】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データや注文内容、サーバ装置２から受信した関連情報などを格納する領域が確保される。
【００３６】
また、ＣＰＵ１４は、ディスク装置１５内の制御プログラムをメインメモリ１６にロードし、制御プログラムを実行することで、第１タッチパネル１０Ａ、第２タッチパネル１０Ｂ、課金部１２、プリンタ１３等を制御する制御部として機能する。
【００３７】
制御部は、データ入力部１１を介して記憶媒体や携帯端末から画像データが入力されると、画像データを縮小したサムネイル画像を含む注文画面を第１タッチパネル１０Ａに表示する。注文画面には画像毎にプリント枚数増減ボタンが設けられており、このボタンを押下することで、各画像のプリント枚数を指定し、印刷注文を入力することができる。
【００３８】
また、注文画面には画像毎に編集ボタンが設けられている。編集ボタンを押下すると、第１タッチパネル１０Ａの表示が、この画像を編集する編集画面に切り替わる。編集画面を操作し、スタンプ等の編集アイテムを画像に合成したり、文字を入力したりする。
【００３９】
通信部１７は、入力された画像データをサーバ装置２へ送信する。この時、自機の号機番号をサーバ装置２へ送信してもよい。また、通信部１７は、サーバ装置２から、画像に関連する関連情報を受信する。
【００４０】
プリント注文が完了すると、制御部は、利用者からの注文内容に基づく請求金額を第１タッチパネル１０Ａに表示する。利用者が貨幣を投入すると、課金部１２は投入された貨幣を計数し、釣銭の出金やレシートの印字等を行う。
【００４１】
制御部が、プリンタ１３に、注文内容に基づく画像データのプリントを実行させる。プリンタ１３がプリント処理を行っている間、制御部は、サーバ装置２から受信した関連情報を第１タッチパネル１０Ａ及び／又は第２タッチパネル１０Ｂに表示する。
【００４２】
次に、サーバ装置２について説明する。図５に示すように、サーバ装置２は、ＲＯＭ（Read  Only  Memory）、ＲＡＭ（Random  Access  Memory）、不揮発性メモリ、ハードディスク装置等を含む記憶部２０を有したコンピュータであり、記憶部２０には画像解析プログラム、設置場所情報等が格納されている。図１では、１台の画像プリント装置１を示しているが、サーバ装置２は様々な場所に設置された複数の画像プリント装置１と通信可能となっており、設置場所情報は、各画像プリント装置１の号機番号と設置場所とを対応付けて登録したものである。
【００４３】
サーバ装置２のＣＰＵが画像解析プログラムを実行することで、図５に示すように、画像受信部２１、画像解析部２２、関連情報抽出部２３、及び関連情報送信部２４の機能が実現される。
【００４４】
画像受信部２１は、画像プリント装置１から画像データを受信し、記憶部２０に格納する。
【００４５】
画像解析部２２は、受信した画像データを解析し、撮影場所情報を検出する。例えば、画像解析部２２は、画像データのＥｘｉｆ情報内のＧＰＳ情報から、撮影場所情報を検出する。
【００４６】
関連情報抽出部２３は、ネットワーク上のオープンデータ（ビッグデータ）から、撮影場所に関連する関連情報を抽出する。抽出された関連情報は記憶部２０に格納される。例えば、関連情報抽出部２３は、撮影場所におけるおすすめの観光情報を抽出する。
【００４７】
関連情報抽出部２３は、画像プリント装置１の設置場所に応じて抽出する情報の種類を変えてもよい。関連情報抽出部２３は、記憶部２０内の設置場所情報を参照し、画像プリント装置１から受信した号機番号から、この画像プリント装置１の設置場所を特定する。例えば、画像プリント装置１が本屋に設置されている場合、関連情報抽出部２３は、画像の撮影場所に関連する書籍情報を抽出する。画像プリント装置１がＣＤショップに設置されている場合、関連情報抽出部２３は、画像の撮影場所の都道府県が出身地のアーティストやそのアーティストの代表曲等のアーティスト情報を抽出する。
【００４８】
関連情報送信部２４は、関連情報抽出部２３が抽出した関連情報を画像プリント装置１へ送信する。
【００４９】
このように、本実施形態によれば、利用者が入力した画像データの撮影場所に基づいて、利用者が興味を持ちそうな関連情報をオープンデータから抽出し、プリント処理中に画像プリント装置１にて表示する。これにより、プリント待ち時間を有意義に過ごすことができる。また、書籍情報やアーティスト情報等の、画像プリント装置１の設置場所に応じた関連情報を提供することで、その後の商品の購買につなげることができる。
【００５０】
上記実施形態では、画像プリント装置１からサーバ装置２へ画像データを送信し、サーバ装置２が、受信した画像データのＥｘｉｆ情報からＧＰＳ情報を取り出す例について説明したが、画像プリント装置１が画像データのＥｘｉｆ情報からＧＰＳ情報を取り出し、ＧＰＳ情報をサーバ装置２へ送信してもよい。
【００５１】
上記実施形態では、Ｅｘｉｆ情報のＧＰＳ情報から画像の撮影場所を検出し、撮影場所に関連する情報を抽出する例について説明したが、Ｅｘｉｆ情報の撮影機器メーカ名を検出し、このメーカの最新カメラの情報を抽出してもよい。
【００５２】
画像解析部２２は、画像のシーン解析を行い、解析結果に基づいて関連情報を抽出してもよい。例えば、シーン解析により野球を行っている画像であると判定された場合、プロ野球の試合結果等の情報を抽出する。
【００５３】
画像プリント装置１は、関連情報の一部を、レシートプリンタ等を用いてプリント出力してもよい。例えば、書籍情報の書籍名等を用紙にプリントして出力する。利用者は、プリント出力された用紙を見ながら本屋で書籍を探すことができる。
【００５４】
画像プリント装置１は、利用者から性別及び／又は年齢の入力を受け付けてもよい。画像プリント装置１は、入力された性別や年齢をサーバ装置２へ送信する。サーバ装置２は、利用者の性別、年齢等も考慮して、関連情報を抽出する。
【００５５】
画像プリント装置１に画像解析部２２及び関連情報抽出部２３と同様の機能を持たせ、画像プリント装置１が、画像データを解析し、画像データに関連する関連情報をオープンデータから抽出してもよい。
【００５６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５７】
１  画像プリント装置
２  サーバ装置
【図１】
2019202430.tif 000003
【図２】
2019202430.tif 000004
【図３】
2019202430.tif 000005
【図４】
2019202430.tif 000006
【図５】
2019202430.tif 000007